(57)【特許請求の範囲】
【請求項１】
壁面に固定されているボードであって、セメントからなるボード状の芯材の前面にガラス繊維ネットが埋め込まれているセメントボードと、
前記セメントボードの前面を覆っている布状のものであって、前記セメントボードとの間に植物を入れるための切れ目が略水平にカットされているフェルトと、
前記フェルトの前方から前記セメントボードに打ち込まれて、前記フェルトを前記セメントボードに固定している複数のタッカーの針と、を備えていることを特徴とする
壁面緑化構造。
【請求項２】
前記セメントボードを壁面に固定している複数のスクリュー又はボルトを備えていることを特徴とする
請求項１に記載の壁面緑化構造。
【請求項３】
前記切れ目の下方に打ち込まれている前記タッカーの針は、前記切れ目に沿っているものではなく、かつ互いに間隔を空けていることを特徴とする
請求項１又は２に記載の壁面緑化構造。
【請求項４】
前記切れ目の上方に打ち込まれている前記タッカーの針は、前記切れ目に沿っていることを特徴とする
請求項１〜３のいずれかに記載の壁面緑化構造。
【請求項５】
前記切れ目の下方に打ち込まれている前記タッカーの針は、前記切れ目の上方に打ち込まれている前記タッカーの針と比較して少ないことを特徴とする
請求項１〜４のいずれかに記載の壁面緑化構造。
【請求項６】
前記芯材は、骨材を含有していることを特徴とする
請求項１〜５のいずれかに記載の壁面緑化構造。
【請求項７】
前記セメントボードは、デラクリート（登録商標）セメントボードであることを特徴とする
請求項１〜６のいずれかに記載の壁面緑化構造。
【請求項８】
セメントからなるボード状の芯材の前面にガラス繊維ネットが埋め込まれているセメントボードを壁面に固定するボード固定工程と、
前記ボード固定工程の後に、前記セメントボードの前面をフェルトで覆う被覆工程と、
前記被覆工程の後に、前記フェルトに、前記セメントボードとの間に植物を入れるための切れ目を略水平にカットするカット工程と、
前記被覆工程の後であって、前記カット工程の前又は後に、前記フェルトの前方から前記セメントボードに複数のタッカーの針を打ち込んで、前記フェルトを前記セメントボードに固定するフェルト固定工程と、を備えていることを特徴とする
壁面緑化構造の施工方法。
【発明の詳細な説明】
【技術分野】
【０００１】
本発明は、例えば、木造、軽量鉄骨造、鉄筋コンクリート構造（ＲＣ構造）等の種々の建物の壁面に採用される壁面緑化構造及びその施工方法に関する。
【背景技術】
【０００２】
昔から、種々の壁面緑化構造が知られている。
【０００３】
例えば、特許文献１には、第１の保水シート材と、略水平方向に切れ目を設けた第２の保水シート材とを積層し、切れ目を中心に区画するように第１、第２の保水シート材を縫製して、切れ目ごとにポケットを区画し、ポケット内で植物を植栽する植物育成マットが記載されている。
【０００４】
この植物育成マットは、ポケットが区画されているので、ポケット内に客土や保水性を有する綿、樹脂、粒子状物、布等を入れて、セダム植物や花の苗木を植栽することができる。また、植物育成マットは、ポケット内に苗木の代わりに植物の種子を混合した客土を入れて、ポケット内で発芽させることもできる。
【０００５】
また、特許文献２には、壁面に取り付けるための取付領域を周辺に有する支持板と、支持板上に敷かれる栽植マットと、栽植マットを覆うように支持板に固定される保持網とを備える緑化パネルが記載されている。
【０００６】
この緑化パネルは、栽植マットに切り込みを入れ、その隙間から植物を配置するので、栽植マットに根を張らせ、植物を定着させることができる。
【先行技術文献】
【特許文献】
【０００７】
【特許文献１】特開２０１０−１１９３１７号公報
【特許文献２】特開２０１２−２０５５２９号公報
【発明の概要】
【発明が解決しようとする課題】
【０００８】
特許文献１に記載されている植物育成マットは、草本植物を植栽するためのものであると考えられる。この植物育成マットは、ポケット内で植物を植栽する構造を採用しており、植物育成マットで木本植物を植栽することを試みたとしても、植物の根はそのポケットの中でぐるぐるととぐろを巻いて広がることができない。このため、植物を大きく成長させることができない。
【０００９】
特許文献２に記載されている緑化パネルについても、草木植物を植栽するためのものであると考えられる。この緑化パネルは、栽植マットに入れた切り込みに植物の根を挿入して配置する構造を採用しており、成長した植物の根が栽植マットの奥に配置され、栽植マットと支持板とによって挟持されるため、根が広がる範囲が栽植マットの大きさに制限される。栽植マットは、支持板と保持網とにより挟持されるものであるため、大きくすることができず、根が広がる範囲も、例えば横幅４８０ｍｍ×高さ４５０ｍｍ×厚さ１０ｍｍ程度の大きさに制限される。このため、植物を大きく成長させることができない。
【００１０】
本発明は、上記課題を鑑みてなされたものであり、植物を大きく成長させることを可能にした壁面緑化構造及びその施工方法を提供することを目的とする。
【課題を解決するための手段】
【００１１】
（１）本発明は、壁面に固定されているボードであって、セメントからなるボード状の芯材の前面にガラス繊維ネットが埋め込まれているセメントボードと、セメントボードの前面を覆っている布状のものであって、セメントボードとの間に植物を入れるための切れ目が略水平にカットされているフェルトと、フェルトの前方からセメントボードに打ち込まれて、フェルトをセメントボードに固定している複数のタッカーの針と、を備えていることを特徴とする壁面緑化構造である。
【００１２】
本発明の壁面緑化構造によれば、ガラス繊維ネットに細かい根が繰り込んで固定されるので、雨風で植物が剥離して落下することがない。これにより、太い根がセメントボード伝いに例えば３〜４ｍ程度は伸びていくことが可能となり、大型の植物（木本植物）を含め、植物を大きく成長させることができる。
【００１３】
そして、フェルト等を二重にしてその間に植物を入れる構造とは異なり、フェルトとセメントボードとの間に植物を入れることで、根がセメントボード側に固定されるので、根がセメントボードに一旦固定されてしまえば、フェルトが劣化した場合であってもフェルトを交換する必要がない。
【００１４】
また、太い根がセメントボード伝いに伸びていくことになるが、壁面に固定されるセメントボードの大きさに制限はなく、例えば、セメントボードを壁一面に固定しておくことで、従来の壁面緑化構造では不可能な大きさに植物を成長させることができる。
【００１５】
ところで、植物は、いくつかの種類を共生させることで大きく成長する性質がある。このため、本発明の壁面緑化構造によれば、太い根が伸びて沿うことになるセメントボードの大きさに制限はなく、植木鉢等を用いる場合とは異なり、いくつかの種類の植物を高密度になるように共生させることができるので、隣の植物と連続的に相互関係を保たせることができ、植物を大きく成長させることができる。
【００１６】
さらに、根が下向へどんどん伸びた場合であっても、根が地中に位置する場合と異なり、根が地上に位置するので、根がたくさんの新鮮な空気に触れることができる。これにより、植物を大きく成長させることができる。
【００１７】
（２）本発明はまた、セメントボードを壁面に固定している複数のボルトを備えていることを特徴とする上記（１）に記載の壁面緑化構造である。
【００１８】
上記発明の壁面緑化構造によれば、太い根が伸びて沿うことになるセメントボードを大きくしておくことができる。これにより、植物を大きく成長させることができる。
【００１９】
（３）本発明はまた、切れ目の下方に打ち込まれているタッカーの針は、切れ目に沿っているものではなく、かつ互いに間隔を空けていることを特徴とする上記（１）又は（２）に記載の壁面緑化構造である。
【００２０】
上記発明の壁面緑化構造によれば、フェルトをセメントボードに固定しているタッカーの針が、下向に根を伸ばした植物の成長を阻害することはなく、植物を大きく成長させることができる。結果、植物の根は、タッカーの針同士の間を越えて下向に伸びていくことになる。
【００２１】
（４）本発明はまた、切れ目の上方に打ち込まれているタッカーの針は、切れ目に沿っていることを特徴とする上記（１）〜（３）のいずれかに記載の壁面緑化構造である。
【００２２】
上記発明の壁面緑化構造によれば、タッカーの針が、根が上方に伸びることを防止し、結果として、根を的確に下向に伸ばさせることができる。また、フェルトをセメントボードに固定しているタッカーの針が、下向に根を伸ばすことになる植物の成長を阻害することはなく、植物を大きく成長させることができる。
【００２３】
（５）本発明はまた、切れ目の下方に打ち込まれているタッカーの針は、切れ目の上方に打ち込まれているタッカーの針と比較して少ないことを特徴とする上記（１）〜（４）のいずれかに記載の壁面緑化構造である。
【００２４】
上記発明の壁面緑化構造によれば、フェルトをセメントボードに固定しているタッカーの針が、下向に根を伸ばすことになる植物の成長を阻害することはなく、植物を大きく成長させることができる。
【００２５】
（６）本発明はまた、芯材は、骨材を含有していることを特徴とする上記（１）〜（５）のいずれかに記載の壁面緑化構造である。
【００２６】
上記発明の壁面緑化構造によれば、セメントボードを曲げた状態で壁面に固定しておくことができる。このため、壁面が曲面である場合であっても、その曲面形状に応じて壁面緑化構造を施工することができる。すなわち、壁面緑化構造を曲面デザインにすることが可能である。
【００２７】
（７）本発明はまた、セメントボードは、デラクリート（登録商標）セメントボードであることを特徴とする上記（１）〜（６）のいずれかに記載の壁面緑化構造である。
【００２８】
上記発明の壁面緑化構造によれば、セメントボードとして、吉野石膏株式会社（東京都千代田区）が市販していることから入手が容易なデラクリート（登録商標）セメントボードを用いているので、誰でも簡単に壁面緑化構造を実施することができる。
【００２９】
（８）本発明はまた、セメントからなるボード状の芯材の前面にガラス繊維ネットが埋め込まれているセメントボードを壁面に固定するボード固定工程と、ボード固定工程の後に、セメントボードの前面をフェルトで覆う被覆工程と、被覆工程の後に、フェルトに、セメントボードとの間に植物を入れるための切れ目を略水平にカットするカット工程と、被覆工程の後であって、カット工程の前又は後に、フェルトの前方からセメントボードに複数のタッカーの針を打ち込んで、フェルトをセメントボードに固定するフェルト固定工程と、を備えていることを特徴とする壁面緑化構造の施工方法である。
【００３０】
本発明によって施工された壁面緑化構造によれば、ガラス繊維ネットに細かい根が繰り込んで固定されるので、雨風で植物が剥離して落下することがない。これにより、太い根がセメントボード伝いに例えば３〜４ｍ程度は伸びていくことが可能となり、植物を大きく成長させることができる。
【００３１】
そして、フェルト等を二重にしてその間に植物を入れる構造とは異なり、フェルトとセメントボードとの間に植物を入れることで、根がセメントボード側に固定されるので、フェルトが劣化した場合であってもフェルトを交換する必要がない。
【００３２】
また、太い根がセメントボード伝いに伸びていくことになるが、壁面に固定されるセメントボードの大きさに制限はなく、例えば、セメントボードを壁一面に固定しておくことで、従来の壁面緑化構造では不可能な大きさに植物を成長させることができる。
【００３３】
ところで、植物は、いくつかの種類を共生させることで大きく成長する性質がある。このため、本発明によって施工された壁面緑化構造によれば、太い根が伸びて沿うことになるセメントボードの大きさに制限はなく、植木鉢等を用いる場合とは異なり、いくつかの種類の植物を共生させることができるので、隣の植物と連続的に相互関係を保たせることができ、植物を大きく成長させることができる。
【００３４】
さらに、根が下向へどんどん伸びた場合であっても、地中の場合と異なり、地上に位置するので、根がたくさんの空気に触れることができる。これにより、植物を大きく成長させることができる。
【発明の効果】
【００３５】
本発明の上記（１）〜（７）に記載の壁面緑化構造、及び上記（８）に記載の壁面緑化構造の施工方法によれば、植物を大きく成長させることができる。
【図面の簡単な説明】
【００３６】
【図１】本発明の第１実施形態に係る壁面緑化構造の縦断面図であり、植物を入れる前の状態を示す。
【図２】同壁面緑化構造の正面図であり、植物を入れる前の状態を示す。
【図３】同壁面緑化構造の縦断面図であり、植物を入れた後の状態を示す。
【図４】同壁面緑化構造の正面図であり、植物を入れた後の状態を示す。
【図５】セメントボードの分解斜視図である。
【図６】セメントボードの縦断面図である。
【図７】本発明の第１実施形態に係る壁面緑化構造の施工方法の流れを示すフローチャートである。
【図８】本発明の第２実施形態に係る壁面緑化構造の縦断面図であり、植物を入れた後の状態を示す。
【発明を実施するための形態】
【００３７】
以下、図面を参照して、本発明の実際形態に係る壁面緑化構造について、詳細に説明する。
【００３８】
［第１実施形態］まず、図１〜図６を用いて、外壁面（壁面）ＯＷに施工された壁面緑化構造１を説明する。図１は、壁面緑化構造１の縦断面図であり、植物ＰＬを入れる前の状態を示す。図２は、壁面緑化構造１の正面図であり、植物ＰＬを入れる前の状態を示す。図３は、壁面緑化構造１の縦断面図であり、植物ＰＬを入れた後の状態を示す。図４は、壁面緑化構造１の正面図であり、植物ＰＬを入れた後の状態を示す。図５は、セメントボード２の分解斜視図である。図６は、セメントボード２の縦断面図である。
【００３９】
なお、各図において、一部の構成（例えば、図４及び図８における植物ＰＬの根）を適宜省略して、図面を簡略化する。そして、各図において、部材の大きさ、形状、厚みなどを適宜誇張して表現する。
【００４０】
図１〜図４に示す壁面緑化構造１は、草本植物のみならず木本植物まで含めた植物ＰＬを、外壁面ＯＷに根付かせる構造であり、木造、軽量鉄骨造、鉄筋コンクリート構造（ＲＣ構造）等の種々の建物の外壁面ＯＷに好適なものである。この壁面緑化構造１は、建物の壁面に採用されるだけではなく、コンクリートが吹き付けられた法面や、その他の壁面にも採用される。
【００４１】
具体的に、壁面緑化構造１は、基板となるセメントボード２と、このセメントボード２を外壁面ＯＷに固定している複数のスクリュー３と、セメントボード２の前面を覆っている布状のフェルト４と、このフェルト４をセメントボード２に固定している複数のタッカーの針５と、植物ＰＬに水を配給する配水パイプ６等を備えている。なお、壁面緑化構造１は、スクリュー３に代えて、ボルトを備えているものであってもよい。
【００４２】
図５及び図６に示すように、セメントボード２は、外壁面ＯＷに固定されているボードである。このセメントボード２には、繊維補強セメントボード（両面繊維ネット張りセメントボード）を用いることができる。繊維補強セメントボードには、水硬性を有するセメントに骨材及び必要に応じた各種添加材を添加させたものを水と混練し、硬化して板状に成形する際に前面及び後面に繊維ネットを埋め込むことにより取り付け、補強したものを用いることができる。この繊維補強セメントボードとしては、無機軽量骨材入りポルトランドセメントモルタルを芯材にして、前面及び後面にガラス繊維ネットを埋め込んで補強したものが好適である。
【００４３】
具体的に、セメントボード２は、セメントに骨材を含有させているボード状の芯材２ａと、この芯材２ａの前面及び後面に埋め込まれている耐アルカリ性のガラス繊維ネット２ｂ，２ｃと、を有している。なお、本発明において、芯材２ａの後面に埋め込まれている耐アルカリ性のガラス繊維ネット２ｃは、必須の構成ではない。
【００４４】
芯材２ａを構成するセメントには、例えば、普通ポルトランドセメント、早強ポルトランドセメント、中庸熱ポルトランドセメント、高炉セメント、シリカセメント、フライアッシュセメント、アルミナセメント、ジェットセメント等の各種セメントが用いられる。芯材２ａを構成する骨材には、例えば、珪砂、山砂、川砂、海砂、パーライト等の軽量骨材が用いられる。
【００４５】
芯材２ａは、セメントに骨材と共に他の成分を含有されているものであってもよい。他の成分としては、例えば、シリカフューム、高炉スラグ、フライアッシュ、分散剤、流動化剤、減水剤、高性能減水剤、ＡＥ剤、高性能ＡＥ減水剤、再乳化型粉末樹脂（例えば、エチレン酢酸ビニル、アクリル樹脂）、樹脂エマルション（例えば、エチレン酢酸ビニル、アクリル樹脂）、短繊維（例えば、ガラス繊維、ポリプロピレン繊維）、硬化促進剤（例えば、蟻酸ソーダ）、増粘剤（例えば、ヒドロキシプロピルメチルセルロース）、凝結調整剤、収縮低減剤、膨張剤、消泡剤、防凍剤、耐久性向上剤等の混和材が挙げられる。
【００４６】
ガラス繊維ネット２ｂ，２ｃは、格子状に構成されているネットであり、その目開きは、１ｍｍ以上５ｍｍ以下であることが好ましく、２ｍｍ以上３ｍｍ以下であることがより好ましい。
【００４７】
このようなセメントボード２には、例えば、吉野石膏株式会社（東京都千代田区）が市販するデラクリート（登録商標）セメントボードを用いることが好適である。デラクリート（登録商標）セメントボードは、厚さが１２．５ｍｍで、サイズが９１０ｍｍ×１８２０ｍｍ又は９１０ｍｍ×２０００ｍｍであり、１枚当たりの重さが２５ｋｇ又は２７．５ｋｇである。
【００４８】
図１及び図３に示す複数のスクリュー３には、例えば、吉野石膏株式会社（東京都千代田区）が市販するデラクリート（登録商標）専用製品であるスクリューを用いることが好適である。当該スクリューは、３２ｍｍ、４５ｍｍ、６０ｍｍの各々の長さがあり、外壁面ＯＷ及びセメントボード２の組合せに応じて適宜選択される。
【００４９】
図１〜図４に示すフェルト４は、セメントボード２を覆うことが可能なサイズであり、複数のタッカーの針５がフェルト２の前方からセメントボード２に打ち込まれていることで、セメントボード２に固定されている。フェルト４の厚さは、０．５ｃｍ以上１．５ｃｍ以下であることが好ましく、１ｃｍであることがより好ましい。
【００５０】
フェルト４には、セメントボード２との間に植物ＰＬを入れるための複数の切れ目４ａが略水平にカットされている。切れ目４ａの長さは、セメントボード２との間に入れる植物ＰＬの大きさや量に応じて設定されているものであるが、１５ｃｍ以上３０ｃｍ以下であることが好ましく、２０ｃｍであることがより好ましい。なお、本発明において、略水平にカットされている切れ目とは、略水平に一直線にカットされている切れ目４ａのみならず、略水平な広がりをもった開口部を含む概念である。
【００５１】
タッカーの針５は、フェルト４の前方からセメントボード２に打ち込まれている。切れ目４ａの下方に打ち込まれているタッカーの針５は、切れ目４ａに沿っているものではなく、かつ互いに間隔を空けている。例えば、タッカーの針５は、切れ目４ａの下方において、切れ目４ａの両脇近傍に１個ずつ打ち込まれていると共に、切れ目４ａの中心から数十ｃｍ下方に１個打ち込まれている。
【００５２】
また、切れ目４ａの上方に打ち込まれているタッカーの針５は、切れ目４ａに沿って複数個打ち込まれている。切れ目４ａの下方に打ち込まれているタッカーの針５は、切れ目４ａの上方に打ち込まれているタッカーの針５と比較して少ない。この他に、タッカーの針５は、フェルト４の四隅近傍等、フェルト４の外周縁近傍に打ち込まれている。
【００５３】
配水パイプ６は、セメントボード２における上端に沿って、セメントボード２とフェルト４との間に設けられ、図示を省略する金具等によってセメントボード２に固定されている。この配水パイプ６は、例えば硬質塩化ビニルパイプであり、セメントボード２とフェルト４との間に入れられた植物ＰＬに散水する複数の孔６ａを有する。複数の孔６ａは、各々の径が２ｍｍ程度であり、例えば２０ｃｍ間隔に穿たれている。
【００５４】
次に、図３、図４及び図７を用いて、壁面緑化構造１の施工方法の流れを説明する。図７は、壁面緑化構造１の施工方法の流れを示すフローチャートである。
【００５５】
図７に示すように、壁面緑化構造１の施工方法は、ボード固定工程Ｓ１００、パイプ固定工程Ｓ２００、被覆工程Ｓ３００、第１フェルト固定工程Ｓ４００、カット工程Ｓ５００、第２フェルト固定工程Ｓ６００、植栽工程Ｓ７００、第３フェルト固定工程Ｓ８００の順に行う。
【００５６】
ボード固定工程Ｓ１００では、セメントボード２を外壁面ＯＷに固定する。パイプ固定工程Ｓ２００では、配水パイプ６をセメントボード２に固定する。被覆工程Ｓ３００では、セメントボード２の前面をフェルト４で覆う。第１フェルト固定工程Ｓ４００では、フェルト４の四隅近傍等、フェルト４の外周縁近傍に複数のタッカーの針５を打ち込んで、フェルト４をセメントボード２に固定する。
【００５７】
カット工程Ｓ５００では、フェルト４に複数の切れ目４ａをカットする。第２フェルト固定工程Ｓ６００では、切れ目４ａの上方に複数のタッカーの針５を打ち込んで、フェルト４をセメントボード２に固定する。栽植工程Ｓ７００では、フェルト４における切れ目４ａの下方をポケット状に手前に引っ張り、切れ目４ａから、フェルト４とセメントボード２との間に植物ＰＬを入れる。第３フェルト固定工程Ｓ８００では、切れ目４ａの下方に複数のタッカーの針５を打ち込んで、フェルト４をセメントボード２に固定する。
【００５８】
このように、壁面緑化構造１によれば、ガラス繊維ネット２ｂに細かい根が繰り込んで固定されるので、雨風で植物ＰＬが剥離して落下することがない。これにより、太い根がセメントボード２伝いに例えば３〜４ｍ程度は伸びていくことが可能となり、大型の植物（木本植物）ＰＬを含め、植物ＰＬを大きく成長させることができる。
【００５９】
そして、フェルト等を二重にしてその間に植物を入れる構造とは異なり、フェルト４とセメントボード２との間に植物を入れることで、根がセメントボード２側に固定されるので、根がセメントボード２に一旦固定されてしまえば、フェルト４が劣化した場合であってもフェルト４を交換する必要がない。
【００６０】
また、太い根がセメントボード２伝いに伸びていくことになるが、外壁面ＯＷに固定されるセメントボード２の大きさに制限はなく、例えば、セメントボード２を壁一面に固定しておくことで、従来の壁面緑化構造では不可能な大きさに植物ＰＬを成長させることができる。
【００６１】
ところで、植物は、いくつかの種類を共生させることで大きく成長する性質がある。このため、壁面緑化構造１によれば、太い根が伸びて沿うことになるセメントボード２の大きさに制限はなく、植木鉢等を用いる場合とは異なり、いくつかの種類の植物ＰＬを高密度になるように共生させることができるので、隣の植物ＰＬと連続的に相互関係を保たせることができ、植物ＰＬを大きく成長させることができる。
【００６２】
さらに、根が下向へどんどん伸びた場合であっても、根が地中に位置する場合と異なり、根が地上に位置するので、根がたくさんの新鮮な空気に触れることができる。これにより、植物ＰＬを大きく成長させることができる。
【００６３】
そして、セメントボード２を外壁面ＯＷに固定している複数のスクリュー３を備えているので、太い根が伸びて沿うことになるセメントボード２を大きくしておくことができる。これにより、植物ＰＬを大きく成長させることができる。
【００６４】
また、切れ目４ａの下方に打ち込まれているタッカーの針５は、切れ目４ａに沿っているものではなく、かつ互いに間隔を空けているので、フェルト４をセメントボード２に固定しているタッカーの針５が、下向に根を伸ばした植物ＰＬの成長を阻害することはなく、植物ＰＬを大きく成長させることができる。結果、植物ＰＬの根は、タッカーの針５同士の間を越えて下向に伸びていくことになる。すなわち、植物ＰＬの根は、フェルト４が手前に引っ張られてポケット状になっている範囲を超えて下向に伸びていくことになる（図３参照）。
【００６５】
さらに、切れ目４ａの上方に打ち込まれているタッカーの針５は、切れ目４ａに沿っているので、タッカーの針５が、根が上方に伸びることを防止し、結果として、根を的確に下向に伸ばさせることができる。そして、フェルト４をセメントボード２に固定しているタッカーの針５が、下向に根を伸ばすことになる植物ＰＬの成長を阻害することはなく、植物ＰＬを大きく成長させることができる。
【００６６】
また、切れ目４ａの下方に打ち込まれているタッカーの針５は、切れ目４ａの上方に打ち込まれているタッカーの針５と比較して少ないので、フェルト４をセメントボード２に固定しているタッカーの針５が、下向に根を伸ばすことになる植物ＰＬの成長を阻害することはなく、植物ＰＬを大きく成長させることができる。
【００６７】
さらに、セメントボード２とフェルト４との間に設けられているパイプであって、切れ目４ａに入れられた植物ＰＬに散水する孔６ａを有する配水パイプ６を備えているので、まいた水は、植物ＰＬの根が位置するセメントボード２とフェルト４との間を伝うことになり、植物ＰＬに対し的確に散水することができる。結果として、不用意に水が散らばることがない。すなわち、散水時に水がまき散らされることはなく、周りが濡れてしまうことがない。このため、通行量が多い通路に面した外壁面ＯＷに用いられている場合であっても、人等の往来に気を配ることなく散水することができる。
【００６８】
そして、芯材２ａは、骨材を含有しているので、セメントボード２を曲げた状態で外壁面ＯＷに固定しておくことができる。このため、外壁面ＯＷが曲面である場合であっても、その曲面形状に応じて壁面緑化構造１を施工することができる。すなわち、壁面緑化構造１を曲面デザインにすることが可能である。
【００６９】
また、壁面緑化構造１は、セメントボード２として、吉野石膏株式会社（東京都千代田区）が市販していることから入手が容易なデラクリート（商標登録）セメントボードを用いているので、誰でも簡単に壁面緑化構造１を実施することができる。
【００７０】
［第２実施形態］次に、図８を用いて、内壁面（壁面）ＩＷに施工された壁面緑化構造１１を説明する。図８は、壁面緑化構造１１の縦断面図であり、植物ＰＬを入れた後の状態を示す。なお、ここでは、第２実施形態である壁面緑化構造１１の特徴部分のみを説明し、第１実施形態の壁面緑化構造１と同様の構成、作用及び効果、並びにその施工方法についての説明は適宜省略する。
【００７１】
図８に示す壁面緑化構造１１は、植物ＰＬを内壁面ＩＷに根付かせる構造であり、室内で利用される。この壁面緑化構造１１は、セメントボード２が内壁面ＩＷに固定されている点で、セメントボード２が外壁面ＯＷに固定されている壁面緑化構造１とは異なる。
【００７２】
また、壁面緑化構造１１は、壁面緑化構造１とは異なり、植物ＰＬに高輝度光を照射するセラミックメタルハライドランプ等の高輝度放電ランプ１２を備える。高輝度放電ランプ１２は、金具等によって、天井ＴＳに取り付けられている。
【００７３】
このように、壁面緑化構造１１によれば、特殊なランプである高輝度放電ランプ１２を備えていることで、室内でも大きな植物を壁面（内壁面ＩＷ）に維持することが可能になる。
【００７４】
本発明は、上記実施形態に限られるものではなく、その趣旨及び技術思想を逸脱しない範囲で種々の変形が可能である。すなわち、各構成の位置、大きさ、長さ、数量、形状、材質、タイミングなどは適宜変更できる。
【００７５】
例えば、上記各実施形態において、カット工程Ｓ５００の前に第１フェルト固定工程Ｓ４００を行うと共に、カット工程Ｓ５００の後に第２フェルト固定工程Ｓ６００及び第３フェルト固定工程Ｓ８００を行う場合を例に説明したが、本発明はこれに限定されず、タッカーの針５を打ち込むタイミングは、被覆工程Ｓ３００の後であれば適宜変更することができる。すなわち、カット工程Ｓ５００の前に、全てのタッカーの針５を打ち込むようにしてもよいし、カット工程Ｓ５００の後に、全てのタッカーの針５を打ち込むようにしてもよい。
【符号の説明】
【００７６】
１  壁面緑化構造
２  セメントボード
２ａ  芯材
２ｂ，２ｃ  ガラス繊維ネット
３  スクリュー
４  フェルト
４ａ  切れ目
５  タッカーの針
６  配水パイプ
６ａ  孔
１１  壁面緑化構造
１２  高輝度放電ランプ
ＰＬ  植物
ＯＷ  外壁面（壁面）
ＩＷ  内壁面（壁面）
ＴＳ  天井
Ｓ１００  ボード固定工程
Ｓ２００  パイプ固定工程
Ｓ３００  被覆工程
Ｓ４００  第１フェルト固定工程（フェルト固定工程）
Ｓ５００  カット工程
Ｓ６００  第２フェルト固定工程（フェルト固定工程）
Ｓ７００  植栽工程
Ｓ８００  第３フェルト固定工程（フェルト固定工程）
【要約】
【課題】植物を大きく成長させることを可能にする。
【解決手段】壁面緑化構造１は、外壁面ＯＷに固定されているボードであって、セメントからなるボード状の芯材２ａの前面にガラス繊維ネット２ｂが埋め込まれているセメントボード２と、セメントボード２の前面を覆っている布状のものであって、セメントボード２との間に植物ＰＬを入れるための切れ目４ａが略水平にカットされているフェルト４と、フェルト４の前方からセメントボード２に打ち込まれて、フェルト４をセメントボード２に固定している複数のタッカーの針５と、を備えている。
【選択図】図１【図１】
0005871099.tif 000002
【図２】
0005871099.tif 000003
【図３】
0005871099.tif 000004
【図４】
0005871099.tif 000005
【図５】
0005871099.tif 000006
【図６】
0005871099.tif 000007
【図７】
0005871099.tif 000008
【図８】
0005871099.tif 000009